(57)【要約】二枚のプリント回路基板を接続する基板対基板コネクタ組立体が開示されている。このコネクタ組立体は、導電端子が中に配設された端子収容キャビティをそれぞれ有する相互に係合するプラグコネクタとレセプタクルコネクタとを含む。各端子は、端子を回路基板上の回路に取り付けるために各コネクタの外に延在するテール部と、結合コネクタの相手側端子と接触する弾性接触部とを含む。レセプタクルコネクタの弾性接触部は、「Ｚ」形状を形成し、かつ、複数の弾性湾曲部を有するように少なくとも二回曲げられる。弾性接触部の端は、接触面を形成するように内側に曲げられている。プラグコネクタ端子は、関連したテール部から延在する凸状接触面を備えている。この凸状接触面は、プラグコネクタの外へ弾性的に突出し、コネクタピンの接触部と下側弾性湾曲部と間に配設され、凸状接触面の上側面は、コネクタハウジングと組立体本体が組み立てられたときに、接触部の下側面と接触する。本発明のコネクタ組立体においては、外部から急激な衝撃を受けたときでも、プラグコネクタの凸状接触面が、レセプタクルコネクタ端子との係合から離れず、従ってコネクタ端子間の電気接続のための接触力と接触安定性が高められる。【選択図】図５
2004527069.tif 000002
【特許請求の範囲】
【請求項１】
二枚のプリント回路基板を接続する基板対基板コネクタ組立体であって、
二枚のプリント回路基板の中の第１のプリント回路基板に固定される第１のコネクタハウジングであって、基部と、該基部の上に配設された差込口を画定する複数の側壁とを備え、側壁の中の少なくとも二つが、複数の第１の端子収容キャビティを含み、第１の端子収容キャビティの各々に第１の端子が配設された第１のコネクタハウジングを有し、
第１の端子の各々は、テール部と、該テール部から延在する可撓性の接触部とを含み、該接触部は、複数の湾曲部を画定するように少なくとも二回曲げられ、前記湾曲部の中の二つが前記差込口に向かって内方を向き、前記二つの湾曲部が介在ギャップによって離間され、更に、
前記二枚の回路基板の中の第２の回路基板に固定される第２のコネクタハウジングであって、前記第１のコネクタハウジングと第２のコネクタハウジングとが結合されたときに前記第１のコネクタハウジングの差込口内に収容される前記第２のコネクタハウジングのプラグを画定する外方に延在する中央本体部を持つ基部を備え、複数の第２の端子収容キャビティを備え、第２の端子収容キャビティの各々に第２の端子が配設された前記第２のコネクタハウジングを有し、
前記第２の端子の各々は、テール部と、該テール部から延在する可撓性の接触部とを含み、第２の端子の接触部は、前記第２のコネクタハウジングのプラグから外方に向け突設した接触面を形成するように曲げられ、前記第２のコネクタハウジングのプラグが前記第１のコネクタハウジングの差込口に差し込まれたときに前記第２の端子の接触部が前記第２のコネクタハウジングのプラグの内方に弾性変形可能であり、それにより前記第２の端子の突出した接触面が、前記第１の端子の対応するギャップ内に収容され保持される基板対基板コネクタ組立体。
【請求項２】
前記第１の端子の各々はＺ形状を有し、前記第１の端子の二つの湾曲部が、垂直方向のギャップによって離間されている、請求項１に記載のコネクタ組立体。
【請求項３】
前記第２の端子の接触部が、外方に突出する頂点を備えた三角形に形成され、前記第２の端子の接触部が、更に頂点の両側に配設された二つの傾斜突設部を備えている、請求項１に記載のコネクタ組立体。
【請求項４】
前記二つの傾斜突設部が反対方向に延在している、請求項３に記載のコネクタ組立体。
【請求項５】
前記第２の端子の接触面が前記頂点に配設され、前記頂点が前記第２のコネクタハウジングのプラグの端子収容キャビティから外方に突出している、請求項３に記載のコネクタ組立体。
【請求項６】
前記Ｚ形状の端子は、反対方向に延在する二つの端部を有する、請求項２に記載のコネクタ組立体。
【請求項７】
前記第１の端子の一方の端部が前記第１のコネクタハウジングの外へ延出して前記端子のテール部を形成し、他方の端部が前記差込口に向かって内方に延在し、この他方の端部が、前記第１の端子の湾曲した凸状接触面を画定するように曲げられている、請求項６に記載のコネクタ組立体。
【請求項８】
前記第２の端子の前記接触部の各々が上側傾斜面と下側傾斜面とを備え、前記第２のコネクタハウジングのプラグが前記第１のコネクタハウジングの差込口に差し込まれたときに上側傾斜面が対向する第１の端子の凸状接触面と接触する、請求項３に記載のコネクタ組立体。
【請求項９】
前記第１の端子は二つの端部を備え、一方の端部が前記第１のコネクタハウジングの差込口に向かって内方に向き、更に前記第１の端子の湾曲した凸状接触面を画定するように曲げられ、前記第２の端子は、前記第２のコネクタハウジングのプラグから延在する一対の傾斜面を備え、前記第２のコネクタハウジングのプラグが前記第１のコネクタハウジングの差込口に差し込まれたとき、前記第１の端子の一方の端部が前記第２の端子の一方の傾斜面に付勢されると水平方向と垂直方向に弾性変形可能である、請求項２に記載のコネクタ組立体。
【請求項１０】
結合特性と保持特性を高めた端子を有するコネクタであって、前記コネクタが対向する相手側コネクタと結合可能であり、前記コネクタの端子が前記相手側コネクタを所定の位置に保持し、前記コネクタが、
絶縁性ハウジングであって、上方に延在して前記相手側コネクタのプラグを収容する前記コネクタの差込口を画定する複数の側壁を備え、前記側壁の内の少なくとも二つに複数の端子収容キャビティが配設された絶縁性ハウジングと、
前記コネクタのハウジング内に配設された複数の端子であって、一つの端子が一つの端子収容キャビティ内に配設され、各端子が回路基板に接続するためのテール部と、前記相手側コネクタの対応する端子と接触するために前記差込口と対向する接触部と、テール部と接触部を相互接続する可撓性の本体部とを備えた複数の端子とを有し、テール部が前記コネクタハウジングの外に延在して、前記可撓性の本体部が前記コネクタハウジング内に配設され、前記端子がＺ形状を形成するように折り曲げられ、前記端子が反対方向に延在する二つの端部を備え、一方の端部が前記テール部を画定し、他方の端部が前記接触部を画定し、前記他方の端部が前記端子の接触面を画定するように折り曲げられ、前記端子の二つの端部が前記相手側コネクタの対向する端子の接触部を収容する介在ギャップによって離間されているコネクタ。
【請求項１１】
前記端子の可撓性の本体部が、前記テール部から前記接触部に上方へ延在する傾斜部を含み、介在ギャップが前記傾斜部と前記接触面との間に配設される、請求項１０に記載のコネクタ。
【請求項１２】
接触部と前記可撓性の本体部は、前記相手側コネクタの対向する端子に接触されたときに水平方向と垂直方向に弾性変形する、請求項１０に記載のコネクタ。
【発明の詳細な説明】
【０００１】
【発明の属する技術分野】
本発明は、一般に基板対基板コネクタに関し、より詳細には、二枚の回路基板を接続するためのコネクタ組立体であって、二個のコネクタ構成要素を係合した後でそれらの構成要素が互いに離れるのを防ぎ、それによりコネクタの接点間の接触安定性及び接触力を高めるコネクタ組立体に関する。
【０００２】
【従来の技術】
一般に当該技術分野で知られているように、プリント回路基板（「ＰＣＢ」）は、チップやその他の電子デバイスが取り付けられている薄い板である。プリント回路基板は、一般にガラス繊維からなり、基板に取り付けられたデバイスは、回路基板上の銅で形成された一つ又は複数の回路によって互いに電気的に接続されている。当該業界では、システム内の主回路基板は、メインボード又は「マザーボード」と呼ばれ、メインボードに接続される第２の回路基板は、「ドーター」ボード又はエッジカードと呼ばれている。１９６０年代には回路基板上で個々の電子部品が互いに接続されていたが、１９９０年代では、一般に、それぞれ数十から数百万個の基本的な電子デバイスを含む複数のチップが、互いに共通に接続されている。
【０００３】
前述の回路基板の製造では、最初に、薄い銅板がガラス繊維又はプラスチックからなる基板上に置かれ、次に、フォトレジスト溶液で覆われる。回路が印刷されたネガフィルムを通してフォトレジスト上に光が照射され、その光によって、フォトレジストコーティングの回路に対応する部分が硬化し、その硬化部分は回路基板のエッチング後でもそのまま残る。その後で、エッチングした基板は強酸を含む電解質溶液に通され、その結果、硬化していない残りの部分が洗い流される。このプロセスで、基板上にプリント回路が完成する。あらかじめ設計した回路パターンによって、電子デバイスを回路基板にはんだ付けしたり、あるいは取り付けしたりすることができる。
【０００４】
図１は、二枚の回路基板１４ａ、１４ｂを接続するために組み立てられた従来の基板対基板コネクタ組立体を断面で示す。このコネクタ組立体は、一般に「プラグ」コネクタと呼ばれる第１のコネクタ６を含み、この第１のコネクタ６は、一般に、当該技術分野において「レセプタクル」コネクタと呼ばれる第２のコネクタのハウジング２の中央に形成された凹部又はチャンバ４に収容される。この構造では、コネクタハウジング２の両側に側壁８が形成され、導電端子１０がその側壁８に固定され、一組の対向する導電端子１２が、第１のコネクタ即ちプラグコネクタ６の本体内に配設されている。レセプタクルコネクタのハウジング２は、一方側において第１の回路基板１４ｂに固定され、プラグコネクタ本体６は、反対側において第２の回路基板１４ａに固定される。
【０００５】
レセプタクルコネクタ端子１０はそれぞれ、回路基板に取り付けるためのテール部１０ａと、それに一体的に接続された接触部１０ｂとを備え、また、接触部１０ｂにおいて垂直方向に延在する二つの湾曲部１０ｃ及び１０ｄを画定するために二回曲げられており、接触部１０ｂの遠位端に凸状接触面１０ｅが形成されている。それぞれのプラグコネクタ端子１２は、凸状接触面１０ｅと対向する垂直な接触部１２ｅを備え、プラグコネクタ端子１２は、プラグコネクタ端子のテール部１２ａが回路基板１４ａに対向する上部位置になるように実質的に記号「∂」と類似の形状を有する。
【０００６】
しかしながら、上記のタイプの構造を有するプラグ端子の場合、外部からの突然の衝撃によって接触部が弾性を失った場合、接触部が凸状接触面との接触を維持できなくなり、それにより接触不良の問題が生じることがある。更に、この構造では、プラグコネクタ端子の接触部とレセプタクルコネクタ端子の凸状接触面の間に確実な接触を保証することができないので、プラグピンの接触部とレセプタクルコネクタ端子１０の凸状接触面１０ｅが、外部の衝撃によって簡単に離れる場合があるという問題が生じる。
【０００７】
本発明は、以上の欠点を解決するコネクタ組立体に関する。
【０００８】
【課題を解決するための手段】
従って、本発明の全体的な目的は、二個のコネクタを組み立てた後でそれらのコネクタが簡単に離れるのを防ぐように二枚のプリント回路基板を接続するコネクタ組立体を提供することである。
【０００９】
本発明の別の目的は、二枚の回路基板を接続するためのコネクタ組立体を提供することであり、このコネクタ組立体は、第１と第２の結合コネクタを含み、二個のコネクタの結合端子間の接触力を高めるために、第１のコネクタの端子が垂直方向と水平方向の両方に弾性がある接触部を備えている。
【００１０】
本発明の更に別の目的は、二枚の回路基板を接続するコネクタ組立体を提供することであり、二個のコネクタ間の結合接触の安定性と二個のコネクタの端子間の接触力を高めるために、コネクタ組立体を構成する二個のコネクタの端子が弾性変形することができる。
【００１１】
本発明の更に別の目的は、二枚の回路基板を接続する改善された基板対基板コネクタ組立体を提供することであり、このコネクタ組立体は、レセプタクルコネクタとプラグコネクタとを含み、二個のコネクタはそれぞれ、複数の導電端子を有し、二個のコネクタの端子は、コネクタ組立体の全体の高さを低くし、かつ、二個のコネクタの何れの絶縁性ハウジング内にも個別のロック構造を形成することなく互いに固定することができる構成を有する。
【００１２】
本発明の更に別の目的は、相手側プラグコネクタと結合するレセプタクルコネクタを有する基板対基板コネクタ組立体を提供することであり、そのコネクタの内の一つは、「Ｚ」の形状又は構成を有する複数の導電端子を有し、この端子構成により、コネクタ組立体の全体の高さが減少し、かつ、二個のコネクタを保持する保持力が高まる。
【００１３】
上記及びその他の目的及び利点を実現するために、本発明は、その好ましい実施形態において、二枚のプリント回路基板の内の第１のプリント回路基板に取り付けるためのハウジングを有する第１のコネクタと、二枚のプリント回路基板の内の第２のプリント回路基板に取り付けるためのハウジングを有する第２のコネクタとを含む、二枚のプリント回路基板を接続するためのコネクタ組立体を提供する。二個のコネクタの一方は、レセプタクル型であることが好ましく、二個のコネクタの他方は、プラグ型であることが好ましく、二個のコネクタが係合されたときにプラグコネクタがレセプタクルコネクタに嵌（は）まる。
【００１４】
第１のコネクタハウジングはレセプタクル型コネクタであってよく、この場合、中央に収容チャンバ即ち差込口を形成するためにベースプレートの両側に側壁が配設され、側壁にはそれぞれ一つの導電端子を収容する複数の穴が開けられている。レセプタクルコネクタ端子の各々が、一方の回路基板に取り付けるためにコネクタハウジングの外に延在するテール部と、コネクタハウジングの差込口内においてテール部から延在する弾性接触部とを含むことが好ましく、この弾性接触部は、複数の弾性湾曲部を有するように少なくとも二回曲げられており、更に弾性接触部は、端子部の湾曲した、すなわち、凸状の接触面を形成するように先端が内側に曲げられた自由端を有する。レセプタクルコネクタ端子のテール部は、レセプタクルコネクタハウジングに差し込まれたときにハウジングの側壁の外側に延在し、その接触部は、コネクタハウジング内に延在する。
【００１５】
第２のコネクタハウジングは、プラグ型であり、第２の回路基板に取り付けられるベースプレートから延在する中央本体部を含む。プラグ型コネクタの中央本体部は、レセプタクルハウジングの差込口内に収容され、プラグコネクタの中央本体部に複数の導電端子が取り付けられている。これらの端子のテール部は、プラグコネクタを第２の回路基板に取り付けるために本体部の外に延在し、接触部は本体部に沿ってテール部から延在し、レセプタクルコネクタの端子と対向している。
【００１６】
プラグコネクタ端子の各々が、外方に延在し、かつ、端子の二つの傾斜延在部の間に配設された湾曲した、すなわち、凸状の接触面を備え、それにより、プラグコネクタがレセプタクルコネクタに差し込まれたときに水平方向に偏倚（へんい）、即ち、弾性変形することができる。プラグコネクタ端子ピンの凸状接触面は、端子の二つの傾斜延在部の間に配設され、それにより、プラグコネクタとレセプタクルコネクタを組み立てたときに、端子接触部の上側面が、レセプタクルコネクタ端子の接触面と接触する。
【００１７】
プラグコネクタ端子の凸状接触面を挟んで少なくとも一つの傾斜面が配設されることが好ましく、その結果、プラグコネクタハウジングとレセプタクルコネクタハウジングを組み立てたときに、レセプタクルコネクタ端子によってプラグ端子が水平方向と垂直方向に容易、かつ、弾性変形され、その結果、プラグコネクタ端子の凸状接触面が、レセプタクルコネクタ端子の接触部の面を越えその面に沿って摺（しゅう）動する。
【００１８】
本発明の上記した目的、特徴、利点、及びその他の目的、特徴、利点は、以下の詳細な説明を検討することによって明瞭に理解されよう。
【００１９】
【発明の実施の形態】
図２は、二枚のプリント回路基板を接続するのに有効な本発明の原理によって構成された基板対基板コネクタ組立体の分解斜視図である。コネクタ組立体は、第１の回路基板３００ａに取り付けられた第１のコネクタ１００と、第２の回路基板３００ｂに取り付けられた第２の相手側結合コネクタ２００とを含む。
【００２０】
第１のコネクタは、一対の端壁１２４及び１２６によって相互接続された一対の長手方向の側壁１２０及び１２２を備えた絶縁コネクタハウジング１００を含み、これらの端壁と側壁は、第１のコネクタハウジング内の中央に配設された収容チャンバ、即ち差込口１３０を協働して画定するために、ハウジングのベースプレート１１０から起立していることが好ましい。第１のコネクタハウジングは、ハウジングの側壁１２０、１２２内に並んで配設された複数の開口部、即ちキャビティ１２０ａ及び１２２ａを含む。これらのキャビティはコネクタ１００の全長に亘（わた）って互いに対向した状態で整列されているのが好ましい。もう一組のキャビティ、即ち溝１２１が側壁１２０、１２２に形成されていてもよく、保持スロット１２１ａが設けられていてもよい。これらの溝１２１は、図２に示したように概略「Ｌ」形状の第１の保持タブ１４０を収容する。この第１の保持タブ１４０は、その一端両側に形成された保持端１４１の間の締まりばめによって嵌（かん）合している。保持端あご部１４１が第１のスロット１２１ａに嵌まり、第１の保持タブ１４０の他端である下側端が第１の回路基板３００ａにはんだ付け又は溶接される。
【００２１】
第１のコネクタ１００は、側壁の端子収容キャビティ１２０ａ、１２２ａに収容された複数の導電端子１６０を含み、一つの端子がキャビティの一つに収容されている。各端子１６０は、下側テール部１６２と、そのテール部１６２から延在する弾性と可撓（とう）性を有する接触部１６４とを含む。弾性接触部１６４は、コネクタハウジングの差込口の中央を向いた下側弾性湾曲部１６６と、コネクタの外側に向いた上側弾性湾曲部１６８とを有するように、ジグザグ状、即ち「Ｚ」形状に少なくとも二回曲げられている。そのような二つの湾曲部１６６、１６８は、水平方向と垂直方向に互いに離間され、分離されている。下側弾性湾曲部１６６は、上側弾性湾曲部１６８よりも端子１６０のテール部１６２の近くに配設されている。この場合、弾性接触部１６４の上側端は、内方に（かつ、部分的に下方に）曲げられ、レセプタクル端子１６０の接触面１６９が形成されている。端子１６０の接触面１６９は、ギャップ「Ｇ」（図４）が画定されるように下側湾曲部１６６から離間され、分離されている。このギャップの機能は、プラグコネクタ端子の凸状接触面２２４を接触面１６９と下側湾曲部１６６との間に保持することである。第１のコネクタ１００のキャビティ１２０ａ、１２２ａの各々に端子１６０が一つずつ差し込まれ、テール部１６２は、コネクタハウジングの側壁１２０、１２２の両方の外側に延在する。更に、テール部１６２から延在する弾性接触部１６４の各々は、弾性湾曲部１６６及び１６８を形成するように、ジグザグ形に少なくとも二回曲げられ、弾性接触部１６４の上側端は、レセプタクル端子接触面１６９を形成するように内方に曲げられている。重要なことは、下側弾性湾曲部１６６と上側弾性湾曲部１６８とによって端子１６０が水平方向と垂直方向に弾性変形できることである。
【００２２】
図２の第２のコネクタ組立体、即ちプラグコネクタ２００は、第１のコネクタの差込口１３０の形状と適合する長方形形状に形成されており、上方に延在するプラグ部分を第１のコネクタ１００の差込口１３０に差し込むことができることが分かる。第２のコネクタハウジングの両端に複数の第２の保持溝２０２が配設されることによって、プラグコネクタ２００を第２の回路基板３００ｂに固定できる。第１の保持タブ１４０とサイズと形状が類似した第２の保持タブ２１０が第２の保持溝２０２に押し込まれ、はんだ付けや溶接などによって第２のコネクタ２００を第２の回路基板３００ｂに取り付けるために使用される。
【００２３】
第２のコネクタ２００も、第２のコネクタハウジングの両側に沿って長手方向に順序正しく配列された端子収容キャビティ２０４を備え、キャビティはそれぞれ、ほぼ「Ｕ」形状を有することが好ましい。これらのキャビティ２０４は、第２のコネクタ２００の両側の側壁に形成されており、導電端子２２０を収容する。この導電端子２２０は、後述するように、第２のコネクタハウジングの側壁の外へ突出する凸状接触面２３０を備えている。プラグコネクタ端子２２０の各々は、その下側端に、端子２２０を第２の回路基板３００ｂに取り付けるためのテール部２２２を含む（図３）。端子の残りの部分を凸状接触面２２４と考えることができ、最初にテール部２２２から所定の長さだけ水平方向に延在し、次にそこから好ましくは直角に上方又は下方に曲げられ、次にテール部２２２の方に戻る方向に斜めに、即ち角度を持って延在する（２２４ａで示す）ように再び曲げられることが好ましい。端子は、更に、再び内側に曲げられ（２２４ｂで示す）、端子の凸状接触面２２４が完成し、凸状接触面２３０が画定される。図面に示したように、凸状接触面２２４は、ほぼ三角形の形状を有し、傾斜面２２４ａ、２２４ｂは、端子２２０の先端、即ち頂点と考えることができる部分の両側に延在する。この頂点は、凸状接触面２３０と一致していることが好ましい。部分２２４ｂの端に配設された端子の自由端２４０は、第２のコネクタ２００のハウジングと係合し、必要に応じて、端子２２０に予荷重を与えることができる。これらの端子２２０の各々は、第２のコネクタ２２０の一つの端子収容キャビティ２０４に嵌め込まれ、各端子は、三角形形状の接触部の始まりを画定する上部曲げ部２２６（図２）を含む。
【００２４】
端子２２０の下側端に形成されたテール部２２２は、プラグコネクタハウジングの本体部の外側に配設され、凸状接触面２２４はテール部２２２から延在し、本体部の外へ突出しており、これにより、（凸状接触面２２４が）水平方向に弾性変形でき、又垂直方向に部分的に弾性変形できる。図３に示したように、端子２２０の凸状接触面２２４は、端子２２０のバックボーンを形成する部分に向けて、即ち端子収容キャビティ２０４に対して内側に弾性変形させてもよい。凸状接触面２２４は、二つの傾斜面、即ち角度のある面で挟まれており、その一方の面が上側斜面２２４ａで、他方の面が下側斜面２２４ｂであり、これらの面は協働して三角形の形状を構成し、それにより、凸状接触面２２４は、プラグコネクタ２００の端子収容キャビティ２０４から直接外に延在する。このようにして、プラグコネクタ２００とレセプタクルコネクタ１００を嵌合されたとき、凸状接触面２２４は、レセプタクル端子１６０の対向する接触面１６９上で摺動して接触面１６９と容易、かつ、確実に係合できるように位置決めされる。
【００２５】
図５は、嵌合させる前に互いに位置合わせされたプラグコネクタ２００とレセプタクルコネクタ１００の部分断面図であり、図６は、完全に組み立てた二個のコネクタ１００、２００の断面図である。
【００２６】
レセプタクルコネクタ１００の第１の保持タブ１４０は、一方のプリント回路基板３００ａにはんだ付けされ、プラグコネクタ２００の第２の保持タブ２１０は、他方のプリント回路基板３００ｂにはんだ付けされている。図５の向きで、プラグコネクタ２００のプラグ部分は、レセプタクルコネクタ１００の差込口１３０と位置合わせされ、差込口１３０内にわずかに押し込まれている。プラグコネクタ端子の凸状接触面２２４の上側傾斜面２２４ａは、図５に示したように、レセプタクルコネクタ端子の接触面１６９と接触する。この説明において、プラグコネクタ２００に利用されている「上側」という用語は、図４に示したレセプタクルコネクタのような位置にあるときのプラグコネクタの向きを指す。また、これは、レセプタクルコネクタ端子と接触する「最初」の面を指す。その後、プラグコネクタ２００が、更に差込口１３０に差し込まれると、プラグコネクタ端子の傾斜面２２４ａは上に動き、その結果、端子の接触部の凸状接触面２２４が実際に、図３の矢印「Ｈ」の方向にプラグコネクタ２００の中央本体部に向かって水平方向内方に動く。
【００２７】
これが起こるとき、図６に示したように、プラグコネクタ端子２２０の凸状接触面２２４は、レセプタクルコネクタ端子１６０の凸状接触面１６９を乗り越え、レセプタクル端子１６０の下側弾性湾曲部１６６と接触面１６９との間に配設され、その結果、プラグコネクタ端子２２０の上側傾斜面２２４ｂと凸状接触面２２４がレセプタクルコネクタ端子の接触部１６９の下側面と接触する。
【００２８】
この場合、凸状接触面２２４が下側弾性湾曲部１６６と接触部１６９の間に位置するまで、レセプタクルコネクタ端子の弾性接触部１６４の全体が外側下方に弾性変形する。更に、プラグコネクタ端子２２０の凸状接触面２２４も、水平方向に弾性変形する。凸状接触面２２４は、プラグコネクタ端子の接触部から突出しており、これらの端子が、予荷重を与えるためにキャビティに差し込むことができる自由端２４０を備えているので、プラグ端子の凸状接触面２２４はレセプタクル端子１６０に対して確実な結合力と接触力を与え、これにより、二個のコネクタハウジングが相互に確実に保持される。
【００２９】
以上の説明から明らかなように、本発明によるコネクタ組立体においては、コネクタハウジングと組立体本体を、レセプタクルコネクタハウジング又はプラグコネクタハウジングのハウジング内に個別のロック部材を形成することなく、二つのピン１６０及び２２０の構造だけでしっかりと組み立てることができ、従って、製造設備のコストを節約でき、更にコネクタ組立体の外形寸法を小さくできる。
【００３０】
本発明によるコネクタ組立体においては、コネクタハウジング１００の接続ピン１６０と組立体本体２００のプラグピン２２０を弾性変形させて、接続ピン１６０とプラグピン２２０との間の接触の安定性、及び接続ピンとプラグピンとの間の電気接続のための接触力を高めることができる。
【００３１】
以上のように、本発明による二枚のプリント回路基板を簡易に接続するコネクタ組立体は、従来技術の問題を解決した。
【００３２】
即ち、外部から突然の衝撃が加えられたときでも、凸状接触面と各接続ピンの接触部との間の係合により凸状接触面が離されない。更に、各プラグピンの凸状接触面が、水平と垂直の両方向の弾性力によって各接続ピンの接触部と接触するので、不完全な接触が生じない。更に、本発明のコネクタ組立体によれば、個別のロック構造を用いることなしに各端子の構造だけでレセプタクルハウジングとプラグコネクタハウジングを互いに固定することができ、従って、複雑な製造設備が不要になる。
【００３３】
本発明の好ましい実施形態を示し説明したが、特許請求の範囲によってその範囲が画定される本発明の精神から逸脱することなく変更及び修正を行うことができることは当業者には明らかであろう。
【図面の簡単な説明】
【図１】
二枚のプリント回路基板を接続するための従来の基板対基板コネクタ組立体の断面図である。
【図２】
本発明の原理に従って構成されたコネクタ組立体の分解斜視図であり、コネクタが互いに位置合わせされた状態を示す。
【図３】
図２のコネクタ組立体に利用されるプラグコネクタの断面図である。
【図４】
図２のコネクタ組立体に利用されるレセプタクルコネクタの断面図である。
【図５】
最初に位置合わせした状態で、かつ、二個のコネクタを完全に係合する前の二個のコネクタを示す図２のコネクタ組立体の断面図である。
【図６】
図５と同様の図であるが、互いに完全に係合されたコネクタ組立体の二個のコネクタを示している。
【国際公開パンフレット】
2004527069.tif 000003
2004527069.tif 000004
2004527069.tif 000005
2004527069.tif 000006
2004527069.tif 000007
2004527069.tif 000008
2004527069.tif 000009
2004527069.tif 000010
2004527069.tif 000011
2004527069.tif 000012
2004527069.tif 000013
2004527069.tif 000014
2004527069.tif 000015
2004527069.tif 000016
2004527069.tif 000017
2004527069.tif 000018
2004527069.tif 000019
2004527069.tif 000020
2004527069.tif 000021
【国際調査報告】
2004527069.tif 000022
2004527069.tif 000023